(57)【要約】      （修正有）【課題】携帯電話用カメラやデジタルカメラなどのレンズ直前に、超高倍率化を可能にする小型レンズ系を簡易取付け、着脱を可能にする。【解決手段】超高倍率化用レンズユニットのカメラ本体側に両面接着テープ３を貼付けるか、これと合体したカセットをカメラ本体に嵌め込むか、超高倍率化用レンズユニットとカメラ本体にネジにより合体し高倍率化を実現する。【選択図】図１
0003142303.tif 000002
【実用新案登録請求の範囲】
【請求項１】
電子カメラの超高倍率化撮影目的で非球面を含むレンズ系を作成し電子カメラに取り付ける際に、レンズホルダーのカメラ側底面に両面接着テープを貼りカメラに着脱を可能にする。
【請求項２】
フランジと高倍率化のためのレンズホルダーにネジ機構を設け、ネジ回転の動作でレンズの高低位置を調整し、叉、レンズ交換を容易にする。
カメラ本体への取付けは、フランジ底面に両面接着テープを貼りカメラに着脱を可能にする。
【請求項３】
超高倍率化用レンズホルダーと一体化したカセットを、電子カメラの形状に合わせて作成し、レンズホルダーの電子カメラ本体への嵌め込み取付け着脱を容易にする。
【請求項４】
電子カメラのレンズ機構側面にネジを設け、嵌め込み用レンズホルダーの外周に設けたネジにより、互いにネジ回転で嵌合する。
【考案の詳細な説明】
【技術分野】
【０００１】  本考案はデジタルカメラ、携帯電話用撮影カメラを含めた電子カメラにおいて、通常の組み込みレンズに加え、超高倍率撮影が可能であるように新たに付加レンズを取付けるためのものである。
【背景技術】
【０００２】  従来の高倍率拡張撮影用のレンズをレンズヘッド部分に装着するためには、装着を簡易化するためマグネットなどにより着脱する治具が考えられていた。叉、通常の倍率よりも僅かに倍率を上げる方式の技術でしかなく、大型の球面レンズを用いたレンズ系を、通常の光学カメラ全体にカセット式にはめ込む方法が取られていた。
【考案の開示】
【考案が解決しようとしている課題】
【０００３】  マグネットなどによるレンズ部品の着脱方法は、一見、容易な方法な用に考えられる。しかし、実際の取付けに際し、マグネットの磁場が電子部品に影響を及ぼし、画像が乱れることもある。叉、従来の口径の大きなレンズでは、形状寸法などの異なったカメラに適用せねばならず、必然的に形状も大きくレンズの中心を合わせるのも難しかった。
【課題を解決するために手段】
【０００４】  本考案では、小型電子カメラに超高倍率レンズを取り付けるため、まず、取付けレンズシステムの非球面を含む光学系により超小型軽量化を行なった。高度なレンズ設計技術を駆使し、高々１〜２枚構成のレンズを取り付けることによって超高倍率撮影が可能になった。
【考案の効果】
【０００５】  この様に小型軽量化されたレンズ系は、電子カメラ本体に着脱することが極めて容易であり、面倒なレンズの取付け操作、調整なしに、電子カメラ本体のズーム撮影機構と併せて、任意の倍率可変が可能な高倍率撮影が可能となる。
【考案を実施するための最良の形態】
【０００６】  電子カメラに取り付ける際には、取付けレンズの本体カメラ側に両面接着テープを貼り付け、合体した全光学系の超高倍率化を可能にする。このレンズを外したときには、当然、無限遠まで撮影可能な本来の機能に戻すことができる。従ってこのテープは、貼付け時には取付けレンズが落下せず、剥がすときには容易に本体から剥がれるような適度な強度を持つものでなければならない。また、従来と異なり小型レンズの特性を活用し、容易にカメラ本体にカセット式にはめ込み着脱することも可能となる。
【実施例】
【０００７】  実施例について図面を参照して説明する。図１は本考案における、超高倍率撮影用の機構を示し、１は単レンズ叉は複数枚の構成からなる非球面を含む超高倍率化用レンズであり、２はそのレンズホルダー、２ａはレンズ押さえを示す。このレンズホルダーを電子カメラに取り付けるため、円筒状にくり抜かれた両面接着テープ３を、カメラ本体に向けて貼り付ける。図２は上記構成からなる超高倍率化用レンズユニット４を携帯電話用電子カメラ５のレンズ部の中心に、光軸を合わせて貼り付けた例である。図は、極めて口径の小さな携帯電話用カメラに貼付けた例であり、ホルダー全体の外径は高々１０ｍｍ程度であり、余り大きなものは他の部品の妨げになる。着脱のための両面テープは、この外径に適した接着強度を持ち、取り外しにも容易に剥がれるものでなければならない。【０００８】  図３は、ズームを持たせるためカメラ本体のレンズが倍率に応じて前方に繰り出されるタイプの、ズーム機構の着いたデジタルカメラ７に取付けフランジ６を両面接着テープで貼り付けた図である。この図では、ズーム部がカメラの前面まで引っ込んでいるが、一般にはズームのために著しく本体レンズが前後する。従って、６のフランジ径はデジタルカメラのズーム機構に適するように設計されている。ホルダーを含めた光学系のシステムは原理的には図１に示すものと同様であるが、この図のように交換式レンズホルダー６ａが取付けフランジ６に対しネジ回転によりレンズ位置を調整し、レンズの取り外し可能にする。【０００９】  図４は、上記のようにレンズホルダーの面を両面テープを用いて接着せずに、４と一体化したカセット８を、携帯電話用電子カメラ５に嵌め込むことによって超高倍率撮影が実現される。当然のことながら、カセットのレンズホルダー部分は図１と同様な機構からなるものである。この製作は、種々の電子カメラの形状にマッチするようにカセットの形状を設計し、成形金型により量産を行う方式に適していると考える。【００１０】    図５は、レンズホルダー側面のネジ９ａと電子カメラ本体部のネジ９ｂとを、嵌め合うことにより、超高倍率撮影を可能にする。ネジの外径は各種携帯電話用カメラによっても全く異なってくるので、貼付け機構の様にあらゆるタイプのカメラに適合する事は難しい。この様にカメラ本体に取り付けられたレンズホルダーにより、ホルダー内レンズの性能とカメラ本体部の拡大ズーム機能と併せて、超高倍率拡大撮影を可能にする。市販のデジタルカメラの例では、１７インチモニター換算で最大倍率８００倍以上に達し、細胞観察がなど可能になる。従って生物、生体の観察分野で顕微鏡を用いない、全く新しい画期的拡大観察が可能になる。叉、解像度チャートを用いると４ミクロン以下の解像度が確認でき、Ｃ−ＭＯＳセンサーのドットピッチまで認識可能である。
【図面の簡単な説明】
【００１１】
【図１】携帯電話用カメラに貼付けるレンズホルダーの機構
【図２】携帯電話用カメラに貼付けたレンズホルダー
【図３】デジタルカメラに貼付けたレンズホルダー
【図４】携帯電話用カメラに嵌め込むカセット式でレンズホルダー
【図５】携帯電話用カメラにネジで嵌合するレンズホルダー
【符号の説明】
【００１２】１    超高倍率化用レンズ
２    レンズホルダー
２ａ  レンズ押さえ
３    両面接着テープ
４    超高倍率化用レンズユニット
５    携帯電話用電子カメラ
６    取付けフランジ
６ａ  交換式レンズホルダー
７    デジタルカメラ
８    カセット
９ａ  レンズホルダー側面のネジ
９ｂ  電子カメラ本体部のネジ
【図１】
0003142303.tif 000003
【図２】
0003142303.tif 000004
【図３】
0003142303.tif 000005
【図４】
0003142303.tif 000006
【図５】
0003142303.tif 000007
【手続補正書】
【提出日】平成20年3月27日(2008.3.27)
【手続補正１】
【補正対象書類名】実用新案登録請求の範囲
【補正対象項目名】全文
【補正方法】変更
【補正の内容】
【実用新案登録請求の範囲】
【請求項１】
電子カメラの超高倍率化撮影目的で非球面を含むレンズ系を作成し電子カメラに取り付ける際に、レンズホルダーのカメラ側底面に両面接着テープを貼りカメラに着脱を可能にすることを特徴とする、超高倍率化レンズの電子カメラ取付け装置。
【請求項２】
フランジと高倍率化のためのレンズホルダーにネジ機構を設け、前記フランジ底面にはカメラ本体部着脱用の、両面接着テープを貼り付ける装置において、さらにフランジとレンズホルダー側面にそれぞれ儲けたネジの回転により、レンズの高低位置の調整及び、レンズ交換が容易に可能になることを特徴とする、請求項１に記載した超高倍率化レンズの電子カメラ取付け装置。